(57)【要約】【課題】表示装置の通常運用中の場合でも輝度調整を実行できる表示制御装置を提供することにある。【解決手段】本実施形態によれば、表示制御装置は、テスト信号発生器と、輝度測定装置と、制御装置とを備えた構成である。前記テスト信号発生器は、表示パネルに映像を表示するための映像信号に挿入する輝度調整用テスト信号を発生する。前記輝度測定装置は、前記表示パネルに表示された映像を撮像する撮像装置から出力される映像信号を入力し、当該映像信号に含まれる前記輝度調整用テスト信号に基づいて前記表示パネルの輝度を測定する。前記制御装置は、前記輝度測定装置から出力される輝度測定値に基づいて前記表示パネルの輝度を調整するように制御する。【選択図】図１
2013156443.tif 000002
【特許請求の範囲】
【請求項１】
表示パネルに映像を表示するための映像信号に挿入する輝度調整用テスト信号を発生するテスト信号発生手段と、
前記表示パネルに表示された映像を撮像する撮像手段から出力される映像信号を入力し、当該映像信号に含まれる前記輝度調整用テスト信号に基づいて前記表示パネルの輝度を測定する輝度測定手段と、
前記輝度測定手段から出力される輝度測定値に基づいて、前記表示パネルの輝度を調整するように制御する制御手段と
を具備したことを特徴とする表示制御装置。
【請求項２】
前記輝度測定手段は、
前記撮像手段から出力される前記輝度調整用テスト信号を含む映像信号を入力し、
前記輝度調整用テスト信号を解析して前記輝度測定値を算出することを特徴とする請求項１に記載の表示制御装置。
【請求項３】
前記制御手段は、
前記輝度測定手段から出力される輝度測定値と予め設定された標準値とを比較し、
前記比較結果に基づいて前記表示パネルの輝度が前記標準値になるように制御することを特徴とする請求項１または請求項２のいずれか１項に記載の表示制御装置。
【請求項４】
映像送出手段から送出される映像信号を前記表示パネルに出力する手段と、
前記テスト信号発生手段から発生する前記輝度調整用テスト信号を、前記映像送出手段から送出される映像信号に挿入する手段と
を含む請求項１から請求項３のいずれか１項に記載の表示制御装置。
【請求項５】
前記制御手段の制御に応じて前記表示パネルの輝度を調整する手段を含む請求項１から請求項４のいずれか１項に記載の表示制御装置。
【請求項６】
映像を表示する表示パネルと、
前記表示パネルに映像を表示するための映像信号を送出する映像送出手段と、
輝度調整用テスト信号を発生するテスト信号発生手段と、
前記映像送出手段から送出される映像信号に前記輝度調整用テスト信号を挿入する手段と、
前記表示パネルの輝度を調整するように制御する表示制御手段とを具備し、
前記表示制御手段は、
前記表示パネルに表示された映像を撮像する撮像手段から出力される映像信号を入力し、当該映像信号に含まれる前記輝度調整用テスト信号に基づいて前記表示パネルの輝度を測定する輝度測定手段と、
前記輝度測定手段から出力される輝度測定値に基づいて前記表示パネルの輝度を調整するための輝度制御手段とを
含むことを特徴とする表示装置。
【請求項７】
前記輝度制御手段は、
前記輝度測定手段から出力される輝度測定値と予め設定された標準値とを比較し、
前記比較結果に基づいて前記表示パネルの輝度が前記標準値になるように制御することを特徴とする請求項６に記載の表示装置。
【請求項８】
前記表示制御手段は、
前記輝度調整用テスト信号を挿入された映像信号で前記表示パネルに映像を表示させる手段と、
前記輝度制御手段の制御に応じて前記表示パネルの輝度を調整する手段と
含むことを特徴とする請求項６または請求項７のいずれか１項に記載の表示装置。
【請求項９】
映像を表示する表示パネルを有する表示装置に適用する表示制御方法であって、
前記表示パネルに映像を表示するための映像信号に、輝度調整用テスト信号を挿入する処理と、
前記表示パネルに表示された映像を撮像する撮像手段から映像信号を入力する処理と、
前記入力した映像信号に含まれる前記輝度調整用テスト信号に基づいて前記表示パネルの輝度を測定する処理と、
前記測定された輝度測定値に基づいて前記表示パネルの輝度を調整する処理と
を実行することを特徴とする表示制御方法。
【請求項１０】
前記調整する処理は、
前記輝度測定値と予め設定された標準値とを比較し、
前記比較結果に基づいて前記表示パネルの輝度が前記標準値になるように調整することを特徴とする請求項９に記載の表示制御方法。
【発明の詳細な説明】
【技術分野】
【０００１】
本発明の実施形態は、例えば大型映像表示装置に適用する表示制御装置、表示装置、及び表示制御方法に関する。
【背景技術】
【０００２】
従来、例えばＬＥＤ（light emitting diode）素子を配列した表示パネル（以下、ＬＥＤパネルと表記する場合がある）を使用する大型の表示装置において、ＬＥＤ素子の経年劣化や修理交換後に輝度の均一性がとれなくなる現象が発生することがある。
【０００３】
表示装置の製造工程では、カメラ、輝度センサ、色彩輝度計などを用いた輝度調整方法により、ＬＥＤモジュールやＬＥＤパネル毎の輝度調整（輝度補正）が行われている。一方、製品として納入された後では、表示装置が設置された現地において、作業者の目視による輝度の手動調整が行われている。
【先行技術文献】
【特許文献】
【０００４】
【特許文献１】特開２０１１−３９３１１号公報
【発明の概要】
【発明が解決しようとする課題】
【０００５】
製品納入後に、ＬＥＤ素子が劣化した場合またはＬＥＤモジュールが故障して、それらを交換する場合には、表示装置の輝度調整（または輝度補正）が必要となる。しかし、通常では、表示装置の通常運用中には輝度調整を実行することはできない。即ち、表示装置の表示動作を停止させた後に、改めて輝度調整を実行する。このため、表示装置の通常運用に支障を来すことがある。
【０００６】
そこで、本発明の目的は、表示装置の通常運用中の場合でも輝度調整を実行できる表示制御装置を提供することにある。
【課題を解決するための手段】
【０００７】
本実施形態によれば、表示制御装置は、テスト信号発生手段と、輝度測定手段と、表示制御手段とを備えた構成である。前記テスト信号発生手段は、表示パネルに映像を表示するための映像信号に挿入する輝度調整用テスト信号を発生する。前記輝度測定手段は、前記表示パネルに表示された映像を撮像する撮像手段から出力される映像信号を入力し、当該映像信号に含まれる前記輝度調整用テスト信号に基づいて前記表示パネルの輝度を測定する。前記制御手段は、前記輝度測定手段から出力される輝度測定値に基づいて前記表示パネルの輝度を調整するように制御する。
【図面の簡単な説明】
【０００８】
【図１】実施形態に関する表示装置の構成を説明するためのブロック図。
【図２】実施形態に関する表示制御装置の部分的構成を説明するためのブロック図。
【図３】実施形態の変形例に関する表示制御装置の構成を説明するためのブロック図。
【図４】実施形態に関する表示制御装置の動作を説明するためのフローチャート。
【発明を実施するための形態】
【０００９】
以下図面を参照して、実施形態を説明する。
【００１０】
［表示装置の構成］
図１に示すように、本実施形態の表示装置は、例えば大型のＬＥＤパネルからなるＬＥＤスクリーン２０を有する大型ＬＥＤ表示装置である。ＬＥＤスクリーン２０は、多数のＬＥＤ素子が配列されている構成である。表示装置は、各ＬＥＤ素子を駆動制御して、ＬＥＤスクリーン２０の表示制御を実行する表示制御装置１０を有する。
【００１１】
本実施形態では、表示制御装置１０は、映像・画像送出システム１１と、テスト信号発生器１２と、コントローラ１３と、測定用カメラ１４と、コンピュータ１５と、同期信号発生器１６とを含む。
【００１２】
映像・画像送出システム１１は、ＬＥＤスクリーン２０上に表示する映像（または画像）信号をコントローラ１３に送出する。コントローラ１３は、映像・画像送出システム１１から受信した映像（画像）信号に基づいて、ＬＥＤスクリーン２０上に映像（画像）を表示するための表示制御を実行する。
【００１３】
ここで、本実施形態の表示制御装置１０は、後述するように、自動的に表示装置の輝度調整（または輝度補正）を実行する機能を含む。この機能を実現するために、コントローラ１３は、テスト信号発生器１２から発生する輝度測定用テスト信号（以下単にテスト信号と表記する場合がある）に基づいて、ＬＥＤスクリーン２０上にテスト映像（画像）を表示するための表示制御を実行する。テスト信号は、例えば全白、グレースケール、単色信号等の輝度測定用テスト信号である。測定用カメラ１４は、ＬＥＤスクリーン２０上に表示された映像を撮像し、その映像信号をコンピュータ１５に出力する。
【００１４】
コンピュータ１５は、輝度調整（輝度補正）の制御に必要な各種のデータ処理を実行する。具体的には、コンピュータ１５は、測定用カメラ１４から出力されたテスト信号（テストパターン）を含む映像信号に基づいて、ＬＥＤスクリーン２０を構成するＬＥＤパネルの輝度を測定する。コンピュータ１５は、算出した輝度測定値に基づいて、輝度調整を実行するための制御信号をコントローラ１３に出力する。また、コンピュータ１５は、表示装置の動作中において、所定のタイミングで輝度調整を開始するための制御信号をテスト信号発生器１２及びコントローラ１３に出力する。
【００１５】
同期信号発生器１６は、映像・画像送出システム１１、テスト信号発生器１２、コントローラ１３及びコンピュータ１５に対して、表示装置の通常動作と輝度調整に必要な同期を取るための同期信号を供給する。
【００１６】
［輝度調整］
次に、図２及び図４のフローチャートを参照して、本実施形態の表示制御装置１０の動作を説明する。
【００１７】
まず、表示装置の通常運用中では、コントローラ１３は、映像・画像送出システム１１から受信した映像（画像）信号に基づいて、ＬＥＤパネルの表示制御を実行する。これにより、ＬＥＤスクリーン２０上には、映像（画像）信号に応じた映像または画像が表示される。
【００１８】
コンピュータ１５は、表示装置の通常運用中に所定のタイミングで、ＬＥＤパネルの輝度調整（輝度補正）を実行する。即ち、図４に示すように、コンピュータ１５は、テスト信号発生器１２を制御して、テスト信号発生器１２からテスト信号を発生させる（ステップＳ１）。
【００１９】
さらに、コンピュータ１５は、コントローラ１３を制御して、映像・画像送出システム１１からの映像信号中に、テスト信号発生器１２からのテスト信号を挿入させてＬＥＤパネルの表示制御を実行させる。具体的には、例えば映像信号の６０フレームまたは１２０フレーム内の１フレームに、テスト信号を挿入させる。これにより、ＬＥＤスクリーン２０上には、テスト信号（テストパターン）が含まれた映像（画像）が表示される（ステップＳ２）。
【００２０】
ここで、図２に示すように、測定用カメラ１４は、ＬＥＤスクリーン２０上に表示される映像（画像）を撮像し、その映像信号をコンピュータ１５に出力できるように準備されている。コンピュータ１５は、測定用カメラ１４を起動して、映像信中の１フレームのテスト信号に測定用カメラ１４を同期させて、ＬＥＤスクリーン２０上に表示される映像を撮像させる（ステップＳ３）。コンピュータ１５は、測定用カメラ１４により撮像されたテスト信号（テストパターン）を含む映像信号を入力する。
【００２１】
次に、コンピュータ１５は、測定用カメラ１４から入力された映像信号に含まれるテスト信号を解析して輝度を測定する（ステップＳ４）。コンピュータ１５は、算出した輝度測定値と予め設定されている標準値とを比較する（ステップＳ５）。コンピュータ１５は、輝度測定値が標準値以上であれば、ＬＥＤパネルの輝度調整（輝度補正）を行なうことなく処理を終了する（ステップＳ６のＮＯ）。
【００２２】
一方、コンピュータ１５は、輝度測定値が標準値未満の場合には、コントローラ１３に対して標準値まで輝度を増加させる指示を出力する（ステップＳ６のＹＥＳ）。コントローラ１３は、コンピュータ１５からの指示に応じて、ＬＥＤパネルの輝度を標準値まで増加させる表示制御信号をＬＥＤスクリーン２０に出力する（ステップＳ７）。
【００２３】
以上のように本実施形態によれば、映像・画像送出システム１１からの映像信号に基づいてＬＥＤスクリーン２０上に映像を表示する通常運用中に、ＬＥＤスクリーン２０を構成するＬＥＤパネルの輝度を測定し、かつ当該輝度を調整（補正）する輝度調整を行なうことができる。具体的には、表示装置の通常動作中に、映像・画像送出システム１１からの映像信号に例えば１フレームのテスト信号を挿入させて、当該テスト信号を解析することにより輝度の測定を実行する。さらに、輝度測定結果に基づいて、ＬＥＤパネルのＬＥＤ素子の劣化などにより輝度が標準より低下している場合には、コントローラ１３へのフィードバック制御により、通常動作中にＬＥＤパネルの輝度調整（補正）を行なうことができる。
【００２４】
従って、表示装置を製品として設置した現地において、表示装置の通常運用中にＬＥＤスクリーン２０の輝度調整（補正）を行なうことができる。これにより、表示装置の通常運用に支障なく、常にＬＥＤスクリーン２０の輝度の均一性を維持することができる。
【００２５】
具体的には、特に業務用の大型ＬＥＤ表示装置では、ＬＥＤ素子の経年劣化（例えば７万５千時間で５０％低下）によりＬＥＤパネルの輝度が低下する。本実施形態を適用することにより、経年劣化により低下した輝度を標準レベルになるように調整するフィードバック調整機能を実現することができる。
【００２６】
［変形例］
図３は、本実施形態の変形例を示すブロック図である。なお、図１に示す本実施形態の表示装置の他の構成については省略している。
【００２７】
本変形例は、図１に示す本実施形態の表示装置において、表示装置の通常動作時に輝度調整を自動的に実行するためのコンピュータ１５以外に、調整用端末３０を有する構成である。調整用端末３０は、例えばパーソナルコンピュータであり、作業者の手動で輝度調整を行なうための装置である。これにより、表示装置の通常動作の停止時に、作業者は調整用端末３０を操作することで、コントローラ１３に対して輝度を調整するための指示を設定できる。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
１０…表示制御装置、１１…映像・画像送出システム、１２…テスト信号発生器、
１３…コントローラ、１４…測定用カメラ、１５…コンピュータ、
１６…同期信号発生器、２０…ＬＥＤスクリーン（ＬＥＤパネル）、
３０…調整用端末。
【図１】
2013156443.tif 000003
【図２】
2013156443.tif 000004
【図３】
2013156443.tif 000005
【図４】
2013156443.tif 000006